【手続補正書】
【提出日】令和2年1月16日(2020.1.16)
【手続補正１】
【補正対象書類名】明細書
【補正対象項目名】００３８
【補正方法】変更
【補正の内容】
【００３８】
いくつかの実施形態では、加湿装置１０４は、チャンバヒータ１３６の動作を制御し得るコントローラ１３０を含み得る。加湿装置１０４はまた、ユーザ入力に関する情報をコントローラ１３０に提供するおよび／または受信するためのユーザインタフェース１４０を含み得る。加湿装置１０４は、さらに、周囲センサ１４６を含み得る。周囲センサ１４６は、周囲センサ１４６の箇所付近の周囲空気の特性、例えば、周囲空気の温度を測定し得る。ある実施形態では、周囲センサ１４６は、入口１１１にまたはその近くに設置された温度センサである。入口１１１にある温度センサは、ガス源１０２から来る空気の温度および流量の双方を測定し得る（下記で説明するように）。この測定により、周囲条件の指標（ｉｎｄｉｃａｔｉｏｎ）を提供し得る。コントローラ１３０は、周囲センサ１４６から、周囲センサ１４６の箇所の近くの周囲空気の特性に関する情報を受信し得る。コントローラ１３０は、ユーザインタフェース１４０によって提供された情報、周囲センサ１４６によって提供された情報に基づいて、および／または他の情報、例えば限定されるものではないが、チャンバヒータ１３６に関連付けられたセンサからなどの、チャンバヒータ１３６からのフィードバックに基づいて、チャンバヒータ１３６の動作を制御するように構成され得る。特に、コントローラ１３０は、電力量、または電力のデューティサイクルを判断するように、チャンバヒータ１３６に提供するように構成され得、チャンバヒータ１３６が、加湿チャンバ１３４内にある、ある量の水Ｗおよび呼吸ガスに所望量の熱を与えるようにし得る。
【手続補正２】
【補正対象書類名】明細書
【補正対象項目名】００５２
【補正方法】変更
【補正の内容】
【００５２】
図２は、ガス源１０２の入力条件を検出し、かつ自動的に、または半自動的に、上述の呼吸補助システム１００のコンポーネントを制御して、患者に送給されるガスの出力条件を変更するための制御システム２２０の実施形態を示す。ある実施形態では、制御システム２２０は、加湿チャンバ１３４から流出する被測定出力ガス条件に基づいて、ガス源１０２における供給ガス条件を推測する。制御システム２２０は、利用可能なセンサデータに基づいて、出力ガス条件を判断し得る。いくつかの実施形態では、制御システム２２０は、ヒータアダプタからコンポーネント検出入力２０２、任意選択的な湿度センサから湿度センサ入力２０４、温度センサから温度センサ入力２０６、流量センサから流量センサ入力２０８、およびユーザインタフェース１４０からユーザ入力２１０を受信する。センサは、呼吸補助システム１００内の１箇所以上に配置され得る。例えば、湿度センサは、チャンバ入口１１１の近くに、または加湿チャンバ１３４の前のいずれかの箇所に設置され得る。いくつかの実施形態では、湿度センサは、チャンバ入口１１１の代わりにまたはそれに加えて、チャンバ出口１１２の近くにも配置され得る。温度センサはまた、チャンバ出口１１２の近くに、またはガスの経路に沿った任意の他の箇所に配置され得る。ある実施形態では、温度センサは、加湿チャンバ１３４内に設置され得る。いくつかの実施形態では、制御システム２２０は、流れセンサからの流量センサ入力２０８の代わりにまたはそれに加えて、圧力センサから流量センサ入力２０８を受信する。ある実施形態では、流量は、２つの温度センサから推定される。
【手続補正３】
【補正対象書類名】特許請求の範囲
【補正対象項目名】全文
【補正方法】変更
【補正の内容】
【特許請求の範囲】
【請求項１】
ガス源から吸気導管および加湿チャンバを通って、患者インターフェースを経由して、加熱および加湿されたガスを患者へ送給するための呼吸補助システムであって、
前記呼吸補助システムは、
呼吸ガス流を加熱および加湿するように構成されたチャンバヒータと、
呼吸ガスの１つ以上の特性を判断し、および呼吸ガスの前記判断された特性に基づいて、ガス源の種類を判断するように構成された１つ以上のハードウェアプロセッサを含む、コントローラと
を含み、
前記コントローラは、さらに、前記判断されたガス源の種類に基づいて、前記チャンバヒータに関連付けられた設定温度を制御するように構成されている、呼吸補助システム。
【請求項２】
さらに、ガス源から受け取った呼吸ガス流を送給するように構成された患者インターフェースを含む、請求項１に記載の呼吸補助システム。
【請求項３】
さらに、前記患者インターフェースおよび前記ガス源と流体連通するように構成された吸気導管を含む、請求項１または２に記載の呼吸補助システム。
【請求項４】
さらに、チャンバ入口、チャンバ出口、および前記チャンバ入口と前記チャンバ出口との間のガス流路を含む、加湿チャンバを含み、前記チャンバ入口は、前記ガス源と流体連通するように構成され、および前記チャンバ出口は、前記吸気導管と流体連通するように構成され、前記加湿チャンバは、ある量の液体を保持するように構成されている、請求項１乃至３のいずれか一項に記載の呼吸補助システム。
【請求項５】
前記コントローラは、さらに、ユーザに通信するために、前記判断されたガス源の種類に対応するインジケータを生成するように構成されている、請求項１乃至４のいずれか一項に記載の呼吸補助システム。
【請求項６】
前記設定温度の前記制御は、ハードウェアメモリにおける前記設定温度の表示の修正を含む、請求項１または請求項５に記載の呼吸補助システム。
【請求項７】
前記コントローラは、さらに、空気取り込み型ガス源であるという前記ガス源の種類の前記判断に基づいて、前記設定温度を下げるように構成されている、請求項１、５または６のいずれか一項に記載の呼吸補助システム。
【請求項８】
前記コントローラは、さらに、空気取り込み型ガス源であるという前記ガス源の種類の前記判断に基づいて、前記設定温度を上げるように構成されている、請求項１乃至７のいずれか一項に記載の呼吸補助システム。
【請求項９】
前記コントローラは、さらに、ユーザに通信するために、前記設定温度に対応するインジケータを生成するように構成されている、請求項１、または請求項５乃至８のいずれか一項に記載の呼吸補助システム。
【請求項１０】
呼吸ガスの前記特性は、平均流量、呼吸パターン、バイアス流量、逆流検出、再呼吸検出のうちの少なくとも１つを含む、請求項１乃至９のいずれか一項に記載の呼吸補助システム。
【請求項１１】
前記ガス源の種類の前記判断は、さらに、前記加湿チャンバに取り付けられたハードウェアコンポーネントを検出することを含む、請求項１乃至１０のいずれか一項に記載の呼吸補助システム。
【請求項１２】
前記ハードウェアコンポーネントは呼気回路または呼気導管である、請求項１１に記載の呼吸補助システム。
【請求項１３】
前記呼気回路の前記検出は、電圧測定値、またはインピーダンス測定値、または抵抗測定値のうちの少なくとも１つを含む特性信号に基づく、請求項１２に記載の呼吸補助システム。
【請求項１４】
前記ガス源の種類の前記判断は、さらに、前記呼吸ガスの判断された１つ以上の特性に基づいて、前記呼吸ガス流のふるまいを検出することを含む、請求項１乃至１３のいずれか一項に記載の呼吸補助システム。
【請求項１５】
前記ふるまいの検出は、呼吸パターンの検出、バイアス流の検出、または再呼吸の検出を含む、請求項１４に記載の呼吸補助システム。
【請求項１６】
前記呼吸パターンの前記検出は、流れの動きまたは圧力変化を監視すること、および前記監視した流れの動きまたは圧力変化を閾値と比較することを含む、請求項１５に記載の呼吸補助システム。
【請求項１７】
バイアス流の前記検出が、流れセンサからの生流れ測定値を測定すること、および前記生流れ測定値をバイアス閾値と比較することを含む、請求項１５または１６に記載の呼吸補助システム。
【請求項１８】
前記ガス源の種類の前記判断が、バイアス流量を平均流量と比較することを含む、請求項１乃至１７のいずれか一項に記載の呼吸補助システム。
【請求項１９】
前記コントローラが、流れの変化率に基づいて、前記バイアス流量を判断するように構成されている、請求項１８に記載の呼吸補助システム。
【請求項２０】
前記コントローラは、流量測定値から流れの変化率を導き出し、平均的な流れを判断し、および第１のチェックを実行してバイアス流を確認することによって、前記バイアス流量を判断するように構成されており、前記第１のチェックは、前記変化率が０であるか、および前記流れが前記平均的な流れを下回るかどうかを判断することを含む、請求項１８または１９に記載の呼吸補助システム。
【請求項２１】
再呼吸の前記検出が、出口流れセンサおよび入口流れセンサにおいて検出された流れプロファイルを判断すること、および前記流れプロファイルを予め決められた流れプロファイルと比較することを含む、請求項１５乃至２０のいずれか一項に記載の呼吸補助システム。
【請求項２２】
再呼吸の前記検出が、入口流れセンサにおいて第１の流れプロファイルを、および出口流れセンサにおいて第２の流れプロファイルを抽出すること、ならびに前記第１の流れプロファイルを前記第２の流れプロファイルと比較することを含む、請求項１５乃至２０のいずれか一項に記載の呼吸補助システム。
【請求項２３】
再呼吸の前記検出が、吸気相および呼気相を検出すること、ならびに前記呼気相の長さを前記吸気相の長さと比較することを含む、請求項１５乃至２０のいずれか一項に記載の呼吸補助システム。
【請求項２４】
再呼吸の前記検出が、吸気相の呼吸パターンを呼気相の呼吸パターンと相関させることを含む、請求項１５乃至２０のいずれか一項に記載の呼吸補助システム。
【請求項２５】
さらに、入口温度センサを含み、呼吸ガスの前記１つ以上の特性は、前記入口温度センサからの温度測定値を含み、および前記コントローラは、前記入口センサからの前記温度測定値と１つ以上の閾値との比較に基づいて、前記ガス源の種類を判断するように構成されている、請求項１乃至２４のいずれか一項に記載の呼吸補助システム。
【請求項２６】
前記閾値を下回る入口温度が、非空気取り込み型ベンチレータを意味し、および前記閾値を上回る入口ガス温度が、空気取り込み型ベンチレータを意味する、請求項２５に記載の呼吸補助システム。
【手続補正４】
【補正対象書類名】図面
【補正対象項目名】図１３Ｃ
【補正方法】変更
【補正の内容】
【図１３Ｃ】
2019505297.tif 000001